(57)【要約】【課題】  組立作業における効率を良くして、生産性が向上するＬＮＢコンバータを提供する。【解決手段】  ＬＮＢコンバータは、第１の分割キャビネット９と、受信回路部を保持するためのシャーシ８と、第１の分割キャビネット９の内側に配置され、受信回路部を覆うための受信部フタ２２とを備える。シャーシ８は、弾性リングとしてのＯリング２を配置するための切欠き部８ａを含み、シャーシ８と受信部フタ２２とは、Ｏリング２を介して固定されている。【選択図】        図１
2005197852.tif 000002
【特許請求の範囲】
【請求項１】
第１の分割キャビネットと、
受信回路部を保持するためのシャーシと、
前記第１の分割キャビネットの内側に配置され、前記受信回路部を覆うための受信部フタと
を備え、
前記シャーシは、弾性リングを配置するための弾性リング配置部を含み、
前記シャーシと前記受信部フタとは、前記弾性リングを介して固定されている、ＬＮＢコンバータ。
【請求項２】
前記受信部フタは、前記第１の分割キャビネットによって、前記弾性リングに向かって押圧されて固定されている、請求項１に記載のＬＮＢコンバータ。
【請求項３】
前記受信部フタは、溶着によって前記第１の分割キャビネットに固定されている、請求項１に記載のＬＮＢコンバータ。
【請求項４】
前記第１の分割キャビネットは、内側に向かって形成された突起部を含み、
前記突起部は、前記受信部フタに形成された貫通穴に挿入され、
前記受信部フタは、前記突起部に押さえられることによって前記第１の分割キャビネットに固定されている、請求項１に記載のＬＮＢコンバータ。
【請求項５】
前記受信部フタは、ビスによって前記第１の分割キャビネットに固定されている、請求項１に記載のＬＮＢコンバータ。
【請求項６】
前記受信部フタは、インサート成型によって、前記第１の分割キャビネットと一体的に形成されている、請求項１に記載のＬＮＢコンバータ。
【請求項７】
前記受信部フタは、接着剤または両面テープによって前記第１の分割キャビネットに固定されている、請求項１に記載のＬＮＢコンバータ。
【請求項８】
第１の分割キャビネットと、
受信回路部を保持するためのシャーシと
を備え、
前記シャーシは、弾性リングを配置するための弾性リング配置部を含み、
前記シャーシと前記第１の分割キャビネットとは、前記弾性リングを介して固定されている、ＬＮＢコンバータ。
【請求項９】
前記弾性リングは、Ｏリングである請求項１または８に記載のＬＮＢコンバータ。
【請求項１０】
前記弾性リングは、Ｄリングである請求項１または８に記載のＬＮＢコンバータ。
【請求項１１】
前記弾性リングは、シリコンゴムで形成された、請求項１または８に記載のＬＮＢコンバータ。
【発明の詳細な説明】
【技術分野】
【０００１】
本発明は、衛星放送などのアンテナに備えられるＬＮＢコンバータに関する。
【背景技術】
【０００２】
衛星放送などのアンテナには、電波を受信するためにＬＮＢ（Low Noise Block-down）コンバータが備えられている。
【０００３】
図１２に、衛星放送の受信装置の概略図を示す。衛星からの電波は、屋外に設置されるアンテナによって受信される。矢印６１に示すように、電波は、パラボナアンテナ５０の表面で反射してフィードフォーン４３に集められ、ＬＮＢコンバータ５１に送られる。ＬＮＢコンバータ５１で周波数変換された信号は、同軸ケーブル５３を通ったのち、屋内のチューナ５４に伝達される。チューナ５４の出力によって、映像がテレビジョン受像機５５に表示される。
【０００４】
図１３に、ＬＮＢコンバータの概略斜視図の例を示す。このＬＮＢコンバータは、筐体として、第１の分割キャビネット３２と第２の分割キャビネット３３とを含む。第１の分割キャビネット３２の表面には、外部導波管４２が接続されており、外部導波管４２の先端には、フィードフォーン４３が形成されている。アンテナは、表面で反射した電波がフィードフォーン４３の内部で焦点が合うように形成されている。集められた電波は、外部導波管４２を通ってＬＮＢコンバータに送られる。ＬＮＢコンバータの内部には、入ってきた電波の周波数を変換する受信回路が基板に形成されており、この受信回路の出力側はコネクタ４４に接続されている。
【０００５】
図１４に、図１３におけるＸＩＶ−ＸＩＶ線に関する矢視断面図を示す。筐体は、第１の分割キャビネット３２と第２の分割キャビネット３３とが固定爪２５で固定されることによって形成されている。固定爪２５は、第２の分割キャビネット３３に形成されている。第２の分割キャビネット３３の内部には、一定の間隔を空けて、リブ部４５が形成されている。リブ部４５は、第２の分割キャビネット３３の長手方向に対して、主表面が垂直になるような平板状に形成されている。リブ部４５には、断面形状が半円の切欠いた部分であるくぼみ部４６が形成されている。くぼみ部４６には、くぼみ部４６の形状に沿うようにシャーシ３１が配置されている。シャーシ３１の内部には、電波を通すための導波管４１が形成されている。導波管４１は、筐体とほぼ同軸状になるように配置されている。
【０００６】
シャーシ３１において、第１の分割キャビネット３２の側には、フレーム３５および基板３７がビス３６によって固定されている。基板３７の上面には、受信回路が形成されている。また、シャーシ３１の第１の分割キャビネット３２の側には、基板３７およびフレーム３５を覆うように受信部フタ３４が形成されている。受信部フタ３４は、基板３７およびフレーム３５の側方において、シャーシ３１と接触している。この接触している部分を密閉するようにシリコンシール材４０が配置されている。すなわち、基板３７およびフレーム３５は、シャーシ３１および受信部フタ３４によって取囲まれた密閉空間の中に配置されている。
【０００７】
ＬＮＢコンバータは、屋外に配置されるために、受信回路を湿気や粉塵から保護するために、受信回路部を覆うような密閉構造を備えている。特開平６−１５２４４５号公報においては、高周波電子機器の気密構造として、断面形状を改善したＯリングを用いた高周波電子機器が開示されている。開示されているＯリングは、１対の突出部が上側および下側で対称になるように形成され、導電性を有するものである。このＯリングは、上フタによって圧縮されるように配置され、シリコングリースなどの防水性向上グリースを使用しなくても気密性と電波の漏洩を防止することができるというものである。
【特許文献１】特開平６−１５２４４５号公報（第２−３頁、第１−４図）
【発明の開示】
【発明が解決しようとする課題】
【０００８】
図１４に示した断面の形状を有するＬＮＢコンバータでは、組立てる際に、シャーシ３１に基板３７などを固定した後に、受信部フタ３４を覆い被せる。この状態で、受信部フタ３４とシャーシ３１との間に隙間が生じないように、シリコンシール材４０を配置する。シリコンシール材４０を配置する際には、わずかな隙間も生じないように配置していく必要がある。したがって、シリコンシール材４０を配置するための作業は、手間を要する上に時間がかかるという問題があった。また、シリコンシール材が硬化するための待ち時間もさらに必要であるという問題があった。この結果、組立作業における効率が悪く、コストアップの要因となっていた。
【０００９】
また、上記の特許文献１に開示された気密構造においては、汎用品でない特別な形状のＯリングを製造する必要があり、コストアップの要因になるという問題があった。
【００１０】
本発明は、上記の問題点を解決するためになされたものであり、生産性が向上するＬＮＢコンバータを提供することを目的とする。
【課題を解決するための手段】
【００１１】
上記の目的を達成するため、本発明に基づくＬＮＢコンバータは、第１の分割キャビネットと、受信回路部を保持するためのシャーシと、上記第１の分割キャビネットの内側に配置され、上記受信回路部を覆うための受信部フタとを備える。上記シャーシは、弾性リングを配置するための弾性リング配置部を含み、上記シャーシと上記受信部フタとは、上記弾性リングを介して固定されている。この構成を採用することにより、生産性が向上するＬＮＢコンバータを提供することができる。
【００１２】
上記発明において好ましくは、上記受信部フタは、上記第１の分割キャビネットによって、上記弾性リングに向かって押圧されて固定されている。この構成を採用することによって、上記第１の分割キャビネットの構造を簡単にすることができる。
【００１３】
上記発明において好ましくは、上記受信部フタは、溶着によって上記第１の分割キャビネットに固定されている。または、上記受信部フタは、インサート成型によって、上記第１の分割キャビネットと一体的に形成されている。または、上記受信部フタは、接着剤または両面テープによって上記第１の分割キャビネットに固定されている。これらのうちいずれかの構成を採用することにより、上記受信部フタの上記分割キャビネットに対する位置が組立てる前に固定され、組立てる際の位置ずれを防止することができる。
【００１４】
上記発明において好ましくは、上記第１の分割キャビネットは、内側に向かって形成された突起部を含み、上記突起部は、上記受信部フタに形成された貫通穴に挿入され、上記受信部フタは、上記突起部に押さえられることによって上記第１の分割キャビネットに固定されている。または、上記受信部フタは、ビスによって上記第１の分割キャビネットに固定されている。この構成を採用することにより、上記受信部フタの上記第１の分割キャビネットに対する位置を固定することができ、組立時における位置ずれを防止することができる。また、上記受信部フタを上記第１の分割キャビネットから容易に着脱することができる。
【００１５】
上記目的を達成するため、本発明に基づくＬＮＢコンバータは、第１の分割キャビネットと、受信回路部を保持するためのシャーシとを備え、上記シャーシは、弾性リングを配置するための弾性リング配置部を含み、上記シャーシと上記第１の分割キャビネットとは、上記弾性リングを介して固定されている。この構成を採用することにより、生産性が向上するＬＮＢコンバータを提供することができる。
【００１６】
上記発明において好ましくは、上記弾性リングは、Ｏリングである。この構成を採用することにより、上記弾性リングとして、汎用の部品を用いて本発明を実施することができる。
【００１７】
上記発明において好ましくは、上記弾性リングは、Ｄリングである。この構成を採用することにより、汎用の部品を用いて本発明を実施することができる。また、断面がほぼ平坦となっている部分について上記弾性リングの接触面積を大きくすることができ、その部分における密閉性が向上する。また、取付け安定性が向上する。
【００１８】
上記発明において好ましくは、上記弾性リングはシリコンゴムで形成されている。この構成を採用することによって、上記弾性リングの耐熱温度の範囲を大きくすることができ、また、耐候性を向上させることができる。
【発明の効果】
【００１９】
本発明によれば、生産性が向上するＬＮＢコンバータを提供することができる。
【発明を実施するための最良の形態】
【００２０】
（実施の形態１）
（構成）
図１から図５を参照して、本発明に基づく実施の形態１におけるＬＮＢコンバータについて説明する。
【００２１】
図１は、本実施の形態における第１のＬＮＢコンバータの断面図であり、図２は、本発明に基づくＬＮＢコンバータの斜視図である。ＬＮＢコンバータは、第１の分割キャビネット９と第２の分割キャビネット１０とによって筐体が形成され、筐体の一方から、突出するように外部導波管４２が形成されている。外部導波管４２の先端には、フィードフォーン４３が形成されている。筐体の長手方向における一方の端面には、ケーブルを接続して信号を送信するためのコネクタ４４が形成されている。図２に示すように、外観においては、従来の技術に基づくＬＮＢコンバータと同様である。
【００２２】
図１の断面図において、第２の分割キャビネット１０は、断面形状の外縁がほぼ半円形になるように形成されている。第２の分割キャビネット１０には、ＬＮＢコンバータの長手方向に一定間隔を空けて、平板状のリブ部２６が形成されている。リブ部２６は、ＬＮＢコンバータの筐体の剛性を高めるためのものである。リブ部２６には、シャーシ８を配置するためのくぼみ部２７が形成されている。くぼみ部２７は、リブ部２６の一部を半円状に切欠いた部分である。シャーシ８は、くぼみ部２７の形状に対応するように、一部分が円柱形になるように形成されている。本実施の形態においては、シャーシ８とくぼみ部２７とは接触している。
【００２３】
第２の分割キャビネット１０には、第１の分割キャビネット９と互いに固定するための固定爪２５が形成されている。固定爪２５は、断面における径方向の両側に形成され、ＬＮＢコンバータの長手方向に一定間隔を空けて形成されている。シャーシ８の断面形状におけるほぼ中央には、電波を通すための導波管２４が形成されている。シャーシ８において、リブ部２６と接触している側と反対側には、基板２１およびフレーム２０がビス４によって固定されている。基板２１には、受信回路が形成されている。シャーシ８は、第１の分割キャビネット９に向かって突出するように形成されている凸部８ｂを含む。シャーシ８は、凸部８ｂが第１の分割キャビネット９の凹の部分に嵌め込まれることによって固定されている。
【００２４】
シャーシ８において、基板２１が配置されている位置の側方には、弾性リング配置部としての切欠き部８ａが形成されている。切欠き部８ａは、弾性リングとしてのＯリングを配置するために切欠いた部分であり、断面がＬ字型になるように形成されている。Ｏリング２は、切欠き部８ａに対して２面で接触している。基板２１およびフレーム２０の上方には、受信回路部を覆うための受信部フタ２２が配置されている。本実施の形態における受信部フタ２２は、基板２１およびフレーム２０を覆うように形成された板金である。また、受信部フタ２２は、Ｏリング２を押さえ込むことができるように断面形状が湾曲している。また、受信部フタ２２の外縁は、Ｏリング２が配置される切欠き部８ａの形状に沿うように形成されている。
【００２５】
受信部フタ２２は、第１の分割キャビネット９によって、押さえられている。第１の分割キャビネット９の内側には、受信部フタ２２の形状に沿った形状を有するフタ押圧部９ａが形成されている。第１の分割キャビネット９は、断面形状における外縁がほぼ半円になるように形成されている。また、第１の分割キャビネット９は、フタ押圧部９ａで受信部フタ２２全体を押さえ込むことができるように形成されている。
【００２６】
シャーシ８と受信部フタ２２とは、Ｏリング２を介して固定されている。Ｏリング２は、切欠き部８ａと受信部フタ２２とに圧縮して接触しており、気密性を有している。受信部フタ２２は、第１の分割キャビネット９によってＯリングに向かって押圧されて固定されている。
【００２７】
図４に、本実施の形態における第２のＬＮＢコンバータの断面図を示す。筐体は、第１の分割キャビネット９と第２の分割キャビネット１０とから形成され、内部にシャーシ８が配置されていることは、第１のＬＮＢコンバータと同様である。シャーシ８には、弾性リング配置部としての切欠き部８ａを含み、切欠き部８ａに弾性リングが配置されることも第１のＬＮＢコンバータと同様である。第２のＬＮＢコンバータでは、弾性リングとして、Ｄリング３が配置されている。Ｄリング３は、断面形状における平坦な部分が、切欠き部８ａの受信部フタ２２が配置されている側と反対側の面と接触するように配置されている。受信部フタ２２は、Ｄリング３の断面形状における円弧の部分に接触するように配置されている。受信部フタ２２は、第１の分割キャビネット９に押さえられて、固定されている。Ｄリング３は、受信部フタ２２によって圧縮されている。その他の構成については、第１のＬＮＢコンバータと同様である。
【００２８】
（作用・効果）
図３に、本実施の形態における第１のＬＮＢコンバータの組立時の断面図を示す。第２の分割キャビネット１０におけるリブ部２６に形成されたくぼみ部２７にシャーシ８が配置される。シャーシ８の切欠き部８ａには、切欠き部８ａの形状に沿ってＯリング２が配置されている。Ｏリング２は、切欠き部８ａの２つの側面に密着するような大きさのものが選定されている。この状態で、矢印６２に示すように、受信部フタ２２をＯリング２に接触させる。さらに、第１の分割キャビネット９におけるフタ押圧部９ａが受信部フタ２２を押しつけるように、第１の分割キャビネット９をシャーシ８および第２の分割キャビネット１０に嵌め込む。第１の分割キャビネット９および第２の分割キャビネット１０は樹脂で形成されているため、第１の分割キャビネット９を第２の分割キャビネット１０に嵌め込む際には、第１の分割キャビネットを外側に広げながら嵌め込むことができる。第２の分割キャビネット１０に形成された固定爪２５が第１の分割キャビネット９を引っ掛けて固定する。また、シャーシ８に形成された凸部８ｂが第１の分割キャビネット９の凹の部分に嵌め込まれて固定される。
【００２９】
受信部フタ２２は、第１の分割キャビネット９に押圧され、さらに、Ｏリング２を圧縮すように固定される。すなわち、シャーシ８と受信部フタ２２とは、Ｏリング２を介して固定される。本実施の形態においては、シャーシ８とリブ部２６とが接触しているが、特にこの形態に限られず、リブ部２６とシャーシ８とはわずかに離れていてもよい。
【００３０】
このように、本実施の形態におけるＬＮＢコンバータは、容易に組立を行なうことができる。また、シリコンシール材などの乾燥に時間を要するシール材が不要であるため、短時間で製造を行なうことができる。この結果、生産性が向上したＬＮＢコンバータを提供することができる。
【００３１】
受信回路部が形成されている基板２１は、シャーシ８、Ｏリング２および受信部フタ２２に囲まれる空間の内部に配置される。この空間は密閉された空間になる。このため、この空間に雨水などの水滴、湿気、または粉塵が侵入することを防止して、受信回路部を保護することができる。
【００３２】
また、受信部フタ２２は、第１の分割キャビネット９によって、Ｏリング２に対して押圧されて固定されている。すなわち、受信部フタ２２と第１の分割キャビネット９とは組立前においては分離された状態であるが、組立てることによって、互いに密着する。この構成を採用することにより、第１の分割キャビネット９の構成を簡単にすることができる。また、弾性リングとしてＯリングを用いることによって、汎用の部品を用いて本発明を適用することができる。
【００３３】
本実施の形態における受信部フタ２２はアルミニウムで形成されている。この構成を採用することにより、受信部フタ自体を軽くすることができ、また、耐食性に優れた受信部フタを形成することができる。または、受信部フタは、ジンコート（Ｒ）で形成されていてもよい。この構成を採用することにより、材料自体が強くなるため、受信部フタを薄くすることができる。さらに、材料が安価になって、生産コストを低くすることができる。
【００３４】
図５に、第２のＬＮＢコンバータの組立時の断面図を示す。第２の分割キャビネット１０にシャーシ８を配置しておき、矢印６３で示すように、切欠き部８ａに配置した弾性リングを受信部フタ２２で押さえるように第１の分割キャビネット９を嵌め込むことは、第１のＬＮＢコンバータと同様である。第２のＬＮＢコンバータにおいては、弾性リングとしてＤリングが使用され、Ｄリングの断面において平坦な面が、切欠き部８ａのうち受信部フタ２２が配置される側と反対側の面に接触している。このため、切欠き部８ａと弾性リングとしてのＤリングとの接触面積が大きくなって、シャーシ８と弾性リングとの間の密閉性を高くすることができる。また、Ｄリングの１つの平面を切欠き部の１つの平面と接触させて組立てることができ、弾性リングのねじれなどを防止できる。この結果、安定した組立てを行なうことができる。その他の作用および効果については第１のＬＮＢコンバータと同様である。
【００３５】
本実施の形態におけるＬＮＢコンバータは、受信部フタ２２を介して、第１の分割キャビネットによって弾性リングが圧縮されている。このように受信部フタで弾性リングを圧縮することにより、高温試験などでキャビネットが膨張した場合においても、安定して弾性リングを圧縮することができ、密閉性を確保することができる。
【００３６】
弾性リングとしてのＯリングまたはＤリングの材質については、特に制限はないが、シリコンゴムかＥＰＤＭゴム（エチレン・プロピレンゴム）で形成されていることが好ましい。弾性リングがシリコンゴムで形成されていることによって、耐熱範囲が広く、また、耐候性に優れたシール部を形成することができる。また、弾性リングがＥＰＤＭゴムで形成されていることによって、湿気を通しにくいシール部を形成することができる。すなわち、通湿率がシリコンなどに比べて低く、密閉性の高いシール部を形成することができる。また、ＥＰＤＭゴムは、シリコンゴムなどと比較して価格が安く、安価にＬＮＢコンバータを製造することができる。
【００３７】
（実施の形態２）
（構成）
図６から図１０を参照して、本発明に基づく実施の形態２におけるＬＮＢコンバータについて説明する。本実施の形態におけるＬＮＢコンバータは、受信部フタが第１の分割キャビネットに予め固定されている。
【００３８】
図６は、本実施の形態における第１のＬＮＢコンバータの断面図である。筐体として第１の分割キャビネット１２と第２の分割キャビネット１０とを備え、内部にシャーシ８が固定されていることは、実施の形態１におけるＬＮＢコンバータと同様である。
【００３９】
本実施の形態における第１のＬＮＢコンバータは、受信部フタ２２ａが、第１の分割キャビネット１２に対して溶着によって固定されている。第１の分割キャビネット１２には、受信部フタ２２ａを配置するための凹部を含み、この凹部に受信部フタ２２ａが固定されている。凹部は、受信部フタ２２ａの外縁よりも若干大きく形成され、凹部の内側に、受信部フタ２２ａが溶着して取付けられている。受信部フタ２２ａの内面には、溶着用ボス１２ａが複数個形成されている。
【００４０】
弾性リングとしては、Ｏリング２がシャーシ８の切欠き部８ａに配置されている。Ｏリング２は、切欠き部８ａと受信部フタ２２ａとに挟まれることによって、圧縮されている。
【００４１】
図７に、本実施の形態における第２のＬＮＢコンバータの説明図を示す。図７（ａ）は、第２のＬＮＢコンバータの断面図である。第２のＬＮＢコンバータにおいては、受信部フタ２２ｂが、第１の分割キャビネット１３に形成された突起部１３ａによって固定されている。第１の分割キャビネット１３の内側には、受信部フタ２２ｂを配置するための凹部が形成されている。この凹部は、受信部フタ２２ｂの外縁よりも若干大きくなるように形成されている。弾性リングとしては、Ｏリング２がシャーシ８の切欠き部８ａに配置されている。Ｏリング２は、切欠き部８ａと受信部フタ２２ｂとに挟まれることによって、圧縮されている。
【００４２】
第１の分割キャビネット１３に形成された突起部１３ａの部分の拡大断面図を図７（ｂ）に示す。第１の分割キャビネット１３は、内側に向かって形成された突起部１３ａを含む。突起部１３ａは、受信部フタ２２ｂの主表面にほぼ平行になるように突出する係止爪１３ｂを有する。受信部フタ２２ｂには、突起部１３ａを通すための貫通穴２８が形成されている。この貫通穴２８に突起部１３ａが配置されている。受信部フタ２２ｂは、突起部１３ａに形成された係止爪１３ｂに押さえられることによって、第１の分割キャビネット１３に固定されている。本実施の形態においては、それぞれの突起部１３ａの係止爪１３ｂが互いに反対側に突出するように形成されているが、特にこの形態に限られず、何れの方向を向いていてもよい。
【００４３】
図８に、本実施の形態における第３のＬＮＢコンバータの説明図を示す。図８（ａ）は、第３のＬＮＢコンバータの断面図である。第３のＬＮＢコンバータにおいては、受信部フタ２２ｃが、ビス１５によって第１の分割キャビネット１４に固定されている。第１の分割キャビネット１４の内側には、凹部が形成され、この凹部に、受信部フタ２２ｃが配置されている。この凹部は、受信部フタ２２ｃの外縁よりも若干大きくなるように形成されている。受信部フタ２２ｃの幅方向のほぼ中央には、受信部フタ２２ｃに貫通穴が形成されている。ビス１５は、この貫通穴に挿入され第１の分割キャビネットに対して受信部フタ２２ｃを固定している。
【００４４】
図８（ｂ）は、ビス１５が配置されている部分の拡大断面図である。第１の分割キャビネット１４には、雌ねじとなる部分が形成されており、ビス１５はこの部分にねじ込まれて固定されている。受信部フタ２２ｃと第１の分割キャビネット１４とは、ビス１５が締付けられることによって、互いに接して固定されている。ビス１５は、ＬＮＢコンバータの長手方向において、一定の間隔を空けて複数箇所に形成されている。
【００４５】
図８（ａ）において、弾性リングとしては、Ｏリング２がシャーシ８の切欠き部８ａに配置されている。Ｏリング２は、切欠き部８ａと受信部フタ２２ｂとに挟まれることによって、圧縮されている。
【００４６】
図９に、本実施の形態における第４のＬＮＢコンバータの説明図を示す。図９（ａ）は、第４のＬＮＢコンバータの断面図である。本実施の形態における受信部フタ２２ｄは、第１の分割キャビネット１６にインサート成型によって固定されている。すなわち、第１の分割キャビネット１６を形成する工程において、受信部フタ２２ｄを金型に予め配置した状態で樹脂成型を行なう。このように第１の分割キャビネット１６を形成することによって、第１の分割キャビネット１６と受信部フタ２２ｄとが一体的な部品になっている。したがって、受信部フタ２２ｄは、溶着やビスなどの固定方法によらず、第１の分割キャビネット１６に固定されている。
【００４７】
図９（ｂ）に、弾性リングとしてのＯリング２が配置されている部分の拡大断面図を示す。Ｏリング２は、シャーシ８に形成された切欠き部８ａと受信部フタ２２ｄとに挟まれて圧縮されている。第１の分割キャビネット１６には、受信部フタ２２ｄが埋込まれている。Ｏリング２は、切欠き部８ａの２つの面と受信部フタ２２ｄに接触している。また、シャーシ８は、凸部８ｂが第１の分割キャビネット１６に嵌め込まれることによって第１の分割キャビネット１６に固定されている。
【００４８】
図１０に、本実施の形態における第５のＬＮＢコンバータの説明図を示す。図１０（ａ）は、第５のＬＮＢコンバータの断面図である。受信部フタ２２ｅは、両面テープ１８を介して第１の分割キャビネット１７に接着固定されている。第１の分割キャビネット１７の内側には、受信部フタ２２ｅの形状に沿って凹部が形成されている。この凹部は、受信部フタ２２ｅの外縁よりも若干大きく形成されている。また、凹部に両面テープ１８が配置され、受信部フタ２２ｅが接着固定されている。
【００４９】
弾性リングとしては、Ｏリング２が配置されている。Ｏリング２の部分を拡大した断面図を図１０（ｂ）に示す。Ｏリング２は、シャーシ８の切欠き部８ａの２面と受信部フタ２２ｅに挟まれて圧縮されている。シャーシ８は、凸部８ｂが第１の分割キャビネット１７の凹の部分に嵌め込まれることによって第１の分割キャビネット１７に固定されている。
【００５０】
上記以外の構成については、実施の形態１におけるＬＮＢコンバータと同様であるのでここでは説明を繰返さない。
【００５１】
（作用・効果）
図６に示す第１のＬＮＢコンバータにおいては、受信部フタ２２ａが、溶着によって第１の分割キャビネット１２に固定されている。また、図７に示す第２のＬＮＢコンバータにおいては、受信部フタ２２ｂが第１の分割キャビネット１３に形成された突起部１３ａに含まれる係止爪１３ｂに押されられることによって、第１の分割キャビネット１３に固定されている。また、図８に示す第３のＬＮＢコンバータにおいては、受信部フタ２２ｃが、ビス１５によって第１の分割キャビネット１４に固定されている。また、図９に示す第４のＬＮＢコンバータにおいては、受信部フタ２２ｄが、インサート成型によって第１の分割キャビネット１６に固定されている。また、図１０に示す第５のＬＮＢコンバータにおいては、受信部フタ２２ｅが、両面テープ１８によって第１の分割キャビネット１７に固定されている。
【００５２】
本実施の形態のＬＮＢコンバータの製造においては、第１の分割キャビネットと第２の分割キャビネットとを固定する前に、受信部フタを第１の分割キャビネットに固定する。このように、第１の分割キャビネットに対して、受信部フタを予め固定できる構成を採用することによって、組立時における受信部フタの位置ずれや、組立後における運搬時などの衝撃による受信部フタの位置ずれを防止することができる。また、Ｏリングに対する受信部フタの位置合わせを組立時に行なう必要がなく、組立作業が容易になる。したがって、生産性がさらに向上するＬＮＢコンバータを提供することができる。
【００５３】
また、第１の分割キャビネットに形成した突起部を引っ掛けて受信部フタを固定したり、ビスによって受信部フタを固定したりすることによって、受信部フタが着脱を容易に行なうことができる。
【００５４】
本実施の形態においては、上記の構成によって、受信部フタを第１の分割キャビネットに固定したが、特に、これらの構成に限られず、受信部フタに予め第１の分割キャビネットを固定できればよい。たとえば、図１０に示した第５のＬＮＢコンバータにおいては、受信部フタ２２ｅを第１の分割キャビネット１７に接着させるために両面テープを用いたが、特にこの形態に限られず、接着剤によって受信部フタ２２ｅを第１の分割キャビネット１７に接着固定してもよい。または、図７に示した第２のＬＮＢコンバータにおいて、突起部は係止爪を有するものに限られず、受信部フタを押さえこむことができる形状であればよい。
【００５５】
その他の作用および効果について実施の形態１におけるＬＮＢコンバータと同様であるので、ここでは説明を繰返さない。
【００５６】
（実施の形態３）
（構成）
図１１を参照して、本発明に基づく実施の形態３におけるＬＮＢコンバータについて説明する。図１１（ａ）は、本実施の形態におけるＬＮＢコンバータの断面図である。筐体としてのキャビネットが２分割され、固定爪２５によって互いに固定されていることは、実施の形態１におけるＬＮＢコンバータと同様である。内部にシャーシ８が配置され、シャーシ８の凸部８ｂが第１の分割キャビネット１９に嵌め込まれることによってシャーシ８が第１の分割キャビネットに固定されていることも実施の形態１におけるＬＮＢコンバータと同様である。
【００５７】
本実施の形態におけるＬＮＢコンバータは、受信部フタを備えておらず、第１の分割キャビネット１９によってＯリング２が圧縮されている。第１の分割キャビネット１９には、Ｏリング２が配置される部分に対応して、キャビネット平坦部１９ａが形成されている。図１１（ｂ）に、Ｏリング２が配置されている部分の拡大断面図を示す。第１の分割キャビネット１９に形成されたキャビネット平坦部１９ａは、シャーシ８に形成された切欠き部８ａの１つの面とほぼ平行になるように形成されている。本実施の形態においては弾性リングとしてＯリング２が配置されている。
【００５８】
シャーシ８と第１の分割キャビネット１９とはＯリング２を介して固定されている。Ｏリング２は、キャビネット平坦部１９ａと切欠き部８ａの２面のうちキャビネット平坦部１９ａに平行な面に挟まれることによって圧縮されている。
【００５９】
その他の構成については実施の形態１におけるＬＮＢコンバータと同様であるので、ここでは説明を繰返さない。
【００６０】
（作用・効果）
本実施の形態におけるＬＮＢコンバータにおいては、Ｏリング２が第１の分割キャビネット１９におけるキャビネット平坦部１９ａとシャーシ８に形成された切欠き部８ａとに挟まれることよって圧縮されて密閉空間が形成されている。受信回路部が形成された基板２１は、第１の分割キャビネット１９、シャーシ８およびＯリング２に囲まれるこの密閉空間の内部に配置され、湿気や粉塵から保護されている。
【００６１】
組立作業においては、第２の分割キャビネット１０のリブ部２６にシャーシ８を配置する。シャーシ８には、予め基板２１およびフレーム２０をビス４によって固定しておく。また、シャーシ８の切欠き部８ａには、Ｏリングを配置しておく。
【００６２】
次に、第１の分割キャビネット１９を広げながら第２の分割キャビネット１０に嵌め込んで固定する。固定に際しては、固定爪２５を第１の分割キャビネットに形成された凹の部分に嵌め込むことで固定する。また、同時に、シャーシ８の凸部８ｂを第１の分割キャビネットに形成された凹の部分に嵌め込むことによって、シャーシ８を第１の分割キャビネット１９に固定する。このときに、Ｏリング２が、キャビネット平坦部１９ａと切欠き部８ａとに圧縮されて密閉される。
【００６３】
本実施の形態におけるＬＮＢコンバータにおいては、受信部フタを予め第１の分割キャビネットに取付けたり、組立の際に受信部フタの位置決めを行なったりする必要がない。このため、ＬＮＢコンバータを容易に組立てることができ、生産性がさらに向上する。また、受信部フタなどが不要であり、部品数が少なくなって生産コストの低減に寄与する。
【００６４】
本実施の形態におけるＬＮＢコンバータにおいて、たとえば、キャビネットが樹脂で形成されている場合、材料自体に弾性があったり、高温試験においてキャビネットが熱によって軟化したりするため、Ｏリングなどの弾性リングを十分に圧縮できない場合がある。このような場合には、実施の形態１や２における受信部フタを備えるＬＮＢコンバータを採用することが好ましい。
【００６５】
上記以外の作用および効果については実施の形態１におけるＬＮＢコンバータと同様であるのでここでは説明を繰返さない。
【００６６】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００６７】
【図１】実施の形態１における第１のＬＮＢコンバータの断面図である。
【図２】実施の形態１における第１のＬＮＢコンバータの斜視図である。
【図３】実施の形態１における第１のＬＮＢコンバータを組立てる際の断面図である。
【図４】実施の形態１における第２のＬＮＢコンバータの断面図である。
【図５】実施の形態１における第２のＬＮＢコンバータを組立てる際の断面図である。
【図６】実施の形態２における第１のＬＮＢコンバータの断面図である。
【図７】実施の形態２における第２のＬＮＢコンバータの説明図であり、（ａ）は断面図、（ｂ）は突起部が形成されている部分の拡大断面図である。
【図８】実施の形態２における第３のＬＮＢコンバータの説明図であり、（ａ）は断面図、（ｂ）はビスで受信部フタが固定されている部分の拡大断面図である。
【図９】実施の形態２における第４のＬＮＢコンバータの説明図であり、（ａ）は断面図、（ｂ）はＯリングが配置されている部分の拡大断面図である。
【図１０】実施の形態２における第５のＬＮＢコンバータの説明図であり、（ａ）は断面図、（ｂ）はＯリングが配置されている部分の拡大断面図である。
【図１１】実施の形態３におけるＬＮＢコンバータの説明図であり、（ａ）は断面図、（ｂ）はＯリングが配置されている部分の拡大断面図である。
【図１２】衛星放送を受信するための装置の説明図である。
【図１３】従来の技術に基づくＬＮＢコンバータの斜視図である。
【図１４】従来の技術に基づくＬＮＢコンバータの断面図である。
【符号の説明】
【００６８】
２  Ｏリング、３  Ｄリング、４  ビス、８  シャーシ、８ａ  切欠き部、８ｂ  凸部、９，１２，１３，１４，１６，１７，１９，３２  第１の分割キャビネット、９ａ  フタ押圧部、１０，３３  第２の分割キャビネット、１２ａ  溶着用ボス、１３ａ  突起部、１３ｂ  係止爪、１７ａ  キャビネット凹部、１５  ビス、１８  両面テープ、１９ａ  キャビネット平坦部、２０  フレーム、２１，３７  基板、２２，２２ａ，２２ｂ，２２ｃ,２２ｄ，２２ｅ，３４  受信部フタ、２４，４１  導波管、２５  固定爪、２６  リブ部、２７  くぼみ部、２８  貫通穴、３１  シャーシ、３５  フレーム、３６  ビス、４０  シリコンシール材、４２  外部導波管、４３  フィードフォーン、４４  コネクタ、４５  リブ部、４６  くぼみ部、５０  パラボナアンテナ、５１  ＬＮＢコンバータ、５３  同軸ケーブル、５４  チューナ、５５  テレビジョン受像機、６１，６２，６３  矢印。
【図１】
2005197852.tif 000003
【図２】
2005197852.tif 000004
【図３】
2005197852.tif 000005
【図４】
2005197852.tif 000006
【図５】
2005197852.tif 000007
【図６】
2005197852.tif 000008
【図７】
2005197852.tif 000009
【図８】
2005197852.tif 000010
【図９】
2005197852.tif 000011
【図１０】
2005197852.tif 000012
【図１１】
2005197852.tif 000013
【図１２】
2005197852.tif 000014
【図１３】
2005197852.tif 000015
【図１４】
2005197852.tif 000016